(57)【要約】【課題】両面複写機能を有する画像形成装置において、原稿を複写する際に、どのように記録用紙に印字されるか分かり易くした機能を有する画像形成装置を提供する。【解決手段】両面複写機能を有する画像形成装置１において、原稿のサイズを検知する原稿検知手段および原稿のサイズを要求に応じて設定する原稿サイズ設定手段（Ｓ５）の少なくともいずれか一方と、原稿の天位置を要求に応じて設定する原稿天位置設定手段（Ｓ４）と、原稿の綴じ方向を要求に応じて設定する綴じ方向設定手段（Ｓ３）と、出力用紙サイズを要求に応じて設定する出力サイズ設定手段（Ｓ６）と、印字倍率を要求に応じて設定する印字倍率設定手段（Ｓ７）とを有し、原稿の天位置が上に位置するようにしたときに、原稿の左上隅を基準に複写領域が設定される。【選択図】図４
2008187668.tif 000002
【特許請求の範囲】
【請求項１】
両面複写機能を有する画像形成装置において、
原稿のサイズを検知する原稿検知手段および原稿のサイズを要求に応じて設定する原稿サイズ設定手段の少なくともいずれか一方と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、
原稿の天位置がいずれの向きであっても、前記原稿の天位置を上とした場合に該原稿の左上隅を基準に複写領域が設定されることを特徴とする画像形成装置。
【発明の詳細な説明】
【技術分野】
【０００１】
本発明は、画像形成装置に関するものである。
【背景技術】
【０００２】
従来から、複数の原稿の片面を読み取って記録し、その原稿を記録用紙の両面に印刷（記録）する、または原稿の両面を読み取って記録し、その原稿を記録用紙の両面または片面に印刷する画像形成装置における各種の両面記録のモードにおいて、特に記録用紙が原稿用紙のα倍のサイズを有して偏倍率β倍で複写する場合であって、α＝βでない場合に、表裏で原稿の画像がずれて記録されることを、メモリなどを使用せずに解決した画像形成装置が知られている（例えば、特許文献１参照）。
【特許文献１】特開２００２−１２５１０２号公報
【発明の開示】
【発明が解決しようとする課題】
【０００３】
ところで、上述の特許文献１の画像形成装置では、原稿の綴じる方向、原稿の天の位置および原稿の両面読み込み方法（同時読み込み／交互読み込み）が考慮されておらず、跳ね上げ式の両面読み込み可能な自動原稿送り装置で、裏面読み込みが後端から読み込まれる場合のみ適用でき、裏面の原稿の天が後端になっているときには、画像領域がずれてしまうという問題があった。また、両面読み込みの場合、特に、裏面は原稿のどの部分が記録用紙のどの部分に印字されるか分からないという問題があった。
【０００４】
そこで、本発明は、上記の事情を鑑みてなされたものであり、両面複写機能を有する画像形成装置において、原稿を複写する際に、どのように記録用紙に印字されるか分かり易くした機能を有する画像形成装置を提供することを目的とする。
【課題を解決するための手段】
【０００５】
上記の課題を解決するために、請求項１に記載した発明は、両面複写機能を有する画像形成装置において、原稿のサイズを検知する原稿検知手段および原稿のサイズを要求に応じて設定する原稿サイズ設定手段の少なくともいずれか一方と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、原稿の天位置がいずれの向きであっても、前記原稿の天位置を上とした場合に該原稿の左上隅を基準に複写領域が設定されることを特徴とする。
このように構成することで、各設定手段により原稿用紙のどの範囲を出力用紙に複写するかを決定することができると共に、その複写される範囲は原稿用紙の左上隅を基準に読み込まれる。
【発明の効果】
【０００６】
請求項１に記載した発明によれば、各設定手段により原稿用紙のどの範囲を出力用紙に複写するかを決定することができると共に、その複写される範囲は原稿用紙の左上隅を基準に読み込まれるため、どのように出力用紙に複写されるかを使用者が想像しやすくすることができる。つまり、原稿を複写する際に、どのように記録用紙に印字されるか分かり易くすることができる効果がある。
【発明を実施するための最良の形態】
【０００７】
次に、本発明の実施形態を図１〜図１１に基づいて説明する。なお、本実施形態では、画像形成装置を複写機に採用した場合についての説明をする。
図１に示すように、複写機１は、図示しない画像記憶部、画像処理部、印刷部および制御部などを備えた複写機本体３が下部に構成されている。複写機本体３の上部手前側に複写機１の各種操作を実行するための操作部５と、透明電極からなるタッチパネル７が全面に配された表示部９とを備えた操作表示装置１１が構成され、複写機本体３の上部で操作表示装置１１以外の部分には、原稿を自動的に給紙するための自動原稿送り装置（ＡＤＦ）１３と、原稿を載置するための透明ガラスからなるテーブル１４と、原稿を読み取るためのスキャナ部１５とを備えた画像読取部１７が構成されている。
【０００８】
図２に示すように、操作表示装置１１は、操作部５と表示部９とから構成されている。操作部５は、使用者による各種の操作指示を受け付け、当該操作指示内容を制御部３３に出力する複数のボタン１９で構成されたものである。ボタン１９は、コピー作業などを起動するスタートキー１９ａ、コピー枚数などを設定するテンキー１９ｂ、初期設定画面を起動などするファンクションキー１９ｃなどで構成されている。
【０００９】
また、表示部９はカラーまたはモノクロ液晶ディスプレイ（ＬＣＤ）で構成されており、制御部３３から入力された表示指示に基づいて各種画像、文字、図形などで各種情報が表示される。また、使用者が表示部９に表示された各機能キーに触れることによってタッチパネル７が機能し、入力された操作指示内容が制御部３３に出力されるように構成されている。
【００１０】
図３に示すように、複写機１は、主に操作部５、表示部９、画像読取部１７、画像記憶部２７、画像処理部２９、印刷部３１および制御部３３などで構成されている。操作部５および表示部９は、上述の通り制御部３３と通信可能に接続されており、複数の機能の各種操作に対する送受信が行われるように構成されている。
【００１１】
画像読取部１７は、自動原稿送り装置（ＡＤＦ）１３とスキャナ部１５とを備えている。このような画像読取部１７は、制御部３３による制御の下に、自動原稿送り装置１３から供給された原稿がテーブル１４上に送られながら、複写機本体３に内蔵されたスキャナ部１５にて原稿の画像を順次読み取り、原稿画像の色彩を表すカラー画像データを画像記憶部２７に出力可能に構成されている。また、直接テーブル１４上に原稿を載置した場合にも、スキャナ部１５にて原稿の画像を読み取るように構成されている。
【００１２】
画像記憶部２７は、ハードディスクなどの外部記憶装置或いは／および半導体メモリなどで構成されており、画像読取部１７から入力された原稿画像のカラー画像データを記憶する。この画像記憶部２７は、制御部３３による制御の下に、読み取られた原稿画像のカラー画像データの書き込みを行うと共に、当該カラー画像データを読み出して画像処理部２９に出力可能に構成されている。
【００１３】
画像処理部２９は、制御部３３による制御の下に、画像記憶部２７から入力されたカラー画像データを印刷用のデータに変換して印刷部３１に出力可能に構成されている。
印刷部３１は、制御部３３による制御の下に、印刷紙を搬送しつつ当該印刷紙にトナーを付着させることにより、上記カラー画像データに基づいて原稿画像を印刷紙上に出力する印刷手段として構成されている。
【００１４】
制御部３３は、操作部５或いは表示部９のタッチパネル７から入力される操作指示、内部メモリに記憶された制御プログラムおよび各種制御用データなどに基づいて、複写機１の全体動作を制御するものである。即ち、制御部３３は、上記操作指示、制御プログラムおよび各種制御用データなどに基づいて制御演算を行うＣＰＵ（Ｃｅｎｔｒａｌ  Ｐｒｏｃｅｓｓｉｎｇ  Ｕｎｉｔ）および他の各部（例えば、操作部５、表示部９、画像読取部１７、画像記憶部２７、画像処理部２９および印刷部３１）とのデータ授受を行う各種入出力インタフェース回線などで構成されており、上記他の各部を統括的に制御することによって、コピー機能を使用して画像読取部１７が読み取った原稿画像を印刷部３１より印刷することができるようになっている。
【００１５】
次に、図４のフローチャートに基づいて、複写機１を用いて両面印刷する場合の説明をする。
図４に示すように、ステップ１（Ｓ１）では、原稿がＡＤＦ１３のトレイにセットされたか、テーブル１４上に直接セットされたかを図示しないセンサーにより検知する。いずれかに原稿がセットされると、ステップ２（Ｓ２）へと進む。
【００１６】
ステップ２では、両面印刷か片面印刷かを設定する。設定パターンとしては、「両面から両面」、「両面から片面」、「片面から両面」、「片面から片面」が設定可能である。通常は「片面から片面」が設定されており、それ以外のパターンを選択したい場合には、表示部９に表示された機能キーを押下することで選択可能に構成されている。ここで、「両面から両面」、「両面から片面」または「片面から両面」の設定を選択した場合には、ステップ３（Ｓ３）へと進む。「片面から片面」の設定を選択した場合は、ステップ４へと進む。
【００１７】
ステップ３では、原稿の綴じ方向および印字された出力用紙の綴じ方向を予め設定する（綴じ方向設定手段）。綴じ方向としては、「左右綴じ」と「上下綴じ」があり、どちらかを選択する。ステップ２で「両面から両面」を選択した場合には、原稿の綴じ方向および出力用紙の綴じ方向の両方を設定し、「両面から片面」を選択した場合には、原稿の綴じ方向のみを設定し、「片面から両面」を選択した場合には、出力用紙の綴じ方向のみを設定する。綴じ方向を選択するとステップ４へと進む。
【００１８】
ステップ４では、原稿の天位置がどちらに向いた状態で印刷するかを予め設定する（原稿天位置設定手段）。図５に示すように、原稿の天位置を表示部９に表示された８つのパターンの中から選択する。原稿の天位置はＡＤＦ１３のトレイにセットした場合には、表面を上にした状態でトレイに載置した向きを選択する。テーブル１４上に原稿をセットした場合には、表面（奇数枚数目の原稿）をスキャナ部１５に対向するように載置したときの向きを選択する。原稿の天位置を選択するとステップ５（Ｓ５）へと進む。
【００１９】
図４に戻り、ステップ５では、原稿のサイズを決定する。原稿のサイズは、複写機１に設けられた図示しないセンサーにより自動的に検知する（原稿検知手段）方法か、手動で表示部９を操作することでサイズを設定する（原稿サイズ設定手段）方法を用いて決定する。これは、原稿がイレギュラーなサイズの用紙であった場合には、自動検知では正確なサイズを認識できないことがあり、そのような場合には手動により設定することで原稿サイズを決定することができる。原稿のサイズを決定すると、ステップ６（Ｓ６）へと進む。
【００２０】
ステップ６では、出力用紙のサイズを決定する（出力サイズ設定手段）。表示部９を操作することで、どの大きさの用紙に印字して出力するかを決定する。出力用紙のサイズを決定すると、ステップ７（Ｓ７）へと進む。
【００２１】
ステップ７では、出力用紙への印字倍率を設定する（印字倍率設定手段）。表示部９を操作することで、原稿の印字サイズと比較して何％の大きさの印字サイズにするかを設定する。印字倍率を設定するとステップ８（Ｓ８）へと進む。
【００２２】
ステップ８では、制御部３３にて、原稿の表裏、原稿がセットされた状態（テーブル１４かＡＤＦ１３）、綴じ方向、天位置から原稿読み込みデータの天の向きが決定される。ここで、原稿読み込みデータの天の向きとは、スキャナ部１５で原稿を読み込んでデータ化することとなるが、スキャナ部１５が読み込んだ原稿のデータの向きのことである。原稿読み込みデータの天の向きが決定されるとステップ９（Ｓ９）へと進む。
【００２３】
なお、図６に示すように、原稿読み込みデータの天の向きは各種条件によってそれぞれ決定されることとなる。図６では、原稿の向きについては、奥天（原稿の天位置が使用者から見て奥側に位置している状態）または左天（原稿の天位置が使用者から見て左側に位置している状態）のみの場合について記載している。原稿の天位置が使用者から見て手前側や右側に位置した状態で載置することもあるが、主に奥天または左天で載置することが多いため、この場合のみ記載し、手前側や右側の記載は省略するが機能としては搭載することも可能である。
【００２４】
更に詳細に図７、図８を用いて説明する。図７（Ａ）はテーブル１４上に原稿を載置した場合（図６の「テーブル読み込み」の場合）で、奥天にした場合を示している。図のように原稿を載置した状態でスキャナ１５ａが上から下へとスキャンし（図７（Ａ）に１本の矢印にて表示）、更にスキャナ１５ａが右方向に移動しながら（図７（Ａ）に２本の矢印にて表示）、原稿全体を読み込んでいく。したがって、スキャナ１５ａで読み取ったデータは、図７（Ｂ）のようになり、原稿読み込みデータの天の向きは左側を向いている（図６の「データの天の向き左」に相当）。ここで、スキャナ１５ａの上下方向の動きが主走査方向の動きであり、スキャナ１５ａの左右方向の動き（原稿の移動方向）が副走査方向の動きとなる。
【００２５】
次に、図８（Ａ）はＡＤＦ１３のトレイに原稿を載置した場合（図６の「ＡＤＦ読み込み」の場合）で、表面を奥天にした場合を示している。図のように原稿がＡＤＦ１３により反転しながらスキャナ部１５へと送られる。そして、原稿がスキャナ１５ａの上部を通過しながら原稿全体が読み込まれていく（図８（Ａ）に、スキャナ１５ａのスキャン方向を１本の矢印で、原稿の移動方向を２本の矢印にて表示）。したがって、スキャナ１５ａで読み取ったデータは、図８（Ｂ）のようになり、原稿読み込みデータの天の向きは右側を向いている（図６の「データの天の向き右」に相当）。
【００２６】
また、図６に戻り、両面同時読みとはスキャナ部１５において、複写機本体３に内蔵されたスキャナとＡＤＦ１３の内部に図示しないスキャナとが設けられた複写機１の場合に、ＡＤＦ１３で送られる原稿の表面および裏面を、２つのスキャナで同時に読み取ることである。さらに、両面交互読みとは、スキャナ部１５において、複写機本体３に内蔵されたスキャナで原稿の表面と裏面とを順次読み取ることである。この場合、原稿の表面と裏面とを反転させる図示しない反転機構がＡＤＦ１３内に設けられている。
【００２７】
図４に戻り、ステップ９では、制御部３３にて、原稿読み込みデータの天の向き、原稿サイズ、出力用紙サイズ、印字倍率から、原稿の印刷領域を決定する。このとき、原稿の印刷領域は、原稿の天位置を上に位置させたときに左上隅を基準にして決定される。これは、ステップ８で原稿読み込みデータの天の向きが認識できているため、データ上で原稿の左上隅がどこに当たるかを認識することができ、そのポイント（座標）から印刷に必要なデータ領域（印刷領域）を決定することができる。原稿の印刷領域が決定したらステップ１０（Ｓ１０）へと進む。
【００２８】
ステップ１０では、画像読取部１７にて、原稿の読み込みを開始する。原稿がテーブル１４上に直接セットされている場合には、スキャナ部１５が移動しながら走査を開始する。また、原稿がＡＤＦ１３のトレイにセットされている場合には、トレイから原稿が、一枚ずつスキャナ部１５が対向配置されているテーブル１４上へと送られ、原稿が送られながらスキャナ部１５が走査を開始する。この場合には、スキャナ部１５は移動せず固定されている。走査を開始するとステップ１１（Ｓ１１）へと進む。
【００２９】
ステップ１１では、ステップ９で決定された原稿の印刷領域の読み込みデータを画像記憶部２７へと記憶する。ここで、画像記憶部２７にはスキャナ部１５で読み取られた画像データのうち、ステップ９で決定された印刷領域に該当する箇所のデータのみを記憶するように構成されている。このように構成することで、無駄なデータをメモリに記憶させる必要がなくなり、大量複写にも対応できる。画像記憶部２７へ原稿の読み込みデータが記憶されるとステップ１２（Ｓ１２）へと進む。
【００３０】
ステップ１２では、画像記憶部２７に記憶された原稿の読み込みデータを、印字倍率を変更したりするなどの画像処理を画像処理部２９にて適宜行う。画像処理を行った後に、ステップ１３（Ｓ１３）へと進む。
【００３１】
ステップ１３では、ステップ１２で画像処理されたデータに基づいて、印刷部３１にて、つまり複写機１に内蔵されたトナーを用いて出力用紙に印刷する。印刷された出力用紙は、図示しない用紙排出部より排出され、処理を終了する。
【００３２】
上述のフローチャートにより出力された出力用紙には、図９〜図１１に示すように印刷される。なお、図面に示す表面と裏面との関係は、表面の天位置が上に位置するように配置したときに、その原稿の垂直方向の軸を中心に回転させて見たときの裏面を表示したものである（図９〜図１１の全てに共通）。また、複写条件としては、原稿および出力用紙共にＡ４用紙であり、印字倍率を２００％とした場合で説明する。
【００３３】
（両面から両面への複写の場合）
図９（Ａ）に示すように、原稿および出力用紙が共に左右綴じの場合で拡大印刷する場合には、表面と裏面の天位置は同じであるため、左上隅（黒丸を付した位置、以下共通）を基準に破線で示した複写範囲が決定される。
【００３４】
図９（Ｂ）に示すように、原稿および出力用紙が共に上下綴じの場合で拡大印刷する場合には、表面と裏面の天位置は１８０度異なり、それぞれの面の左上隅を基準に破線で示した複写範囲が決定される。
【００３５】
図９（Ｃ）に示すように、原稿が左右綴じで出力用紙には上下綴じで複写したい場合で拡大印刷する場合には、原稿の表面と裏面のそれぞれ左上隅を基準に破線で示した複写範囲が決定され、それを上下綴じになるように裏面を原稿の中心を軸に平面内で１８０度回転させて印字するようになる。
【００３６】
図９（Ｄ）に示すように、原稿が上下綴じで出力用紙には左右綴じで複写したい場合で拡大印刷する場合には、上述の（Ｃ）のパターンと同様に、裏面を原稿の中心を軸に平面内で１８０度回転させて印字するようになる。
【００３７】
（両面から片面への複写の場合）
図１０（Ａ）に示すように、原稿が両面で左右綴じであり、出力用紙には片面ずつ複写したい場合で拡大印刷する場合には、原稿の表面と裏面のそれぞれ左上隅を基準に破線で示した複写範囲が決定され、表面を出力用紙の１枚目に印字し、裏面を出力用紙の２枚目に印字する。
【００３８】
図１０（Ｂ）に示すように、原稿が両面で上下綴じであり、出力用紙には片面ずつ複写したい場合で拡大印刷する場合には、原稿の表面と裏面の天位置を上に位置したときのそれぞれ左上隅を基準に破線で示した複写範囲が決定され、表面を出力用紙の１枚目に印字し、裏面を出力用紙の２枚目に印字する。このとき裏面は原稿の中心を軸に平面内で１８０度回転させて表面と天位置が同じになるように排出される。
【００３９】
（片面から両面への複写の場合）
図１１（Ａ）に示すように、原稿が片面で、出力用紙には左右綴じで両面印刷をしたい場合で拡大印刷をする場合には、原稿の１枚目と２枚目のそれぞれ左上隅を基準に破線で示した複写範囲が決定され、１枚目を出力用紙の表面に印字し、２枚目を出力用紙の裏面に印字する。
【００４０】
図１１（Ｂ）に示すように、原稿が片面で、出力用紙には上下綴じで両面印刷をしたい場合で拡大印刷をする場合には、原稿の１枚目と２枚目のそれぞれ左上隅を基準に破線で示した複写範囲が決定され、１枚目を出力用紙の表面に印字し、２枚目を出力用紙の裏面に印字する。このとき、上下綴じのため、裏面は、２枚目の原稿の中心を軸に平面内で１８０度回転させて印字する。
【００４１】
上述のように構成することで、原稿の同じ位置（原稿の左上隅を基準とした位置）が印字されるようになる。これは、原稿を載置する方向（天位置）を異なる方向（図９〜図１１は原稿を奥天にしているが、例えば左天）にしても、天位置設定手段にて天位置を正しく設定すれば、同じように印字されることとなる。
【００４２】
本実施形態によれば、両面複写機能を有する複写機１において、原稿のサイズを検知する原稿検知手段および原稿のサイズを設定する原稿サイズ設定手段と、原稿の天位置を要求に応じて設定する原稿天位置設定手段と、原稿の綴じ方向を要求に応じて設定する綴じ方向設定手段と、出力用紙サイズを要求に応じて設定する出力サイズ設定手段と、印字倍率を要求に応じて設定する印字倍率設定手段とを有し、原稿の天位置が上に位置するようにしたときに、原稿の左上隅を基準に複写領域を設定するようにした。
【００４３】
このように構成することで、各設定手段により原稿用紙のどの範囲を出力用紙に複写するかを決定することができると共に、その複写される範囲は原稿用紙の左上隅を基準に読み込まれるため、どのように出力用紙に複写されるかを使用者が想像しやすくすることができる。つまり、原稿を複写する際に、どのように記録用紙に印字されるか分かり易くすることができる。
【００４４】
また、スキャナ１５ａで読み取った原稿のデータのうち、複写領域に対応する範囲のデータのみを画像記憶部２７に記憶させるようにし、そのデータをもとに画像処理部２９にて拡大・縮小などの処理を行い、印刷部３１で出力用紙に印字して排出するようにしたため、スキャナ１５ａで読み取ったデータを一旦保存するＲＡＭなどのメモリの容量を大きくすることなく実現でき、複写機１の製造コストを増大せずに所望の機能を実現することができる。
【００４５】
尚、本発明の技術範囲は上述した実施形態に限られるものではなく、本発明の趣旨を逸脱しない範囲において種々の変更を加えることが可能である。すなわち、本実施形態で挙げた具体的な方法などは一例に過ぎず、適宜変更が可能である。
例えば、各種設定の順序については、複写機能が適正に実行させるのであれば順序を入れ替えてもよい（例えば、原稿サイズ設定、出力用紙サイズ設定および印字倍率設定など）。
【図面の簡単な説明】
【００４６】
【図１】本発明の実施形態における複写機の斜視図である。
【図２】本発明の実施形態における操作表示装置の斜視図である。
【図３】本発明の実施形態における複写機のブロック図である。
【図４】本発明の実施形態における両面複写機能を使用する際の操作の流れを示すフローチャートである。
【図５】本発明の実施形態における原稿天位置設定の際の表示部を示す説明図である。
【図６】本発明の実施形態における原稿読み込みデータの天の向きを決定する場合分けを示す説明図である。
【図７】本発明の実施形態におけるテーブル上に原稿を直接載置した場合の原稿読み込みデータの天の向きを説明する説明図であり、（Ａ）はスキャナと原稿の位置関係を示したもの、（Ｂ）はスキャナで読み取った原稿のデータイメージ図である。
【図８】本発明の実施形態におけるＡＤＦのトレイ上に原稿を載置した場合の原稿読み込みデータの天の向きを説明する説明図であり、（Ａ）はスキャナと原稿の位置関係を示したもの、（Ｂ）はスキャナで読み取った原稿のデータイメージ図である。
【図９】本発明の実施形態における両面原稿を出力用紙に両面印刷する場合を示す説明図である。
【図１０】本発明の実施形態における両面原稿を出力用紙に片面印刷する場合を示す説明図である。
【図１１】本発明の実施形態における片面原稿を出力用紙に両面印刷する場合を示す説明図である。
【符号の説明】
【００４７】
１…複写機（画像形成装置）  Ｓ３…綴じ方向設定手段  Ｓ４…原稿天位置設定手段  Ｓ５…原稿サイズ設定手段  Ｓ６…出力サイズ設定手段  Ｓ７…印字倍率設定手段
【図１】
2008187668.tif 000003
【図２】
2008187668.tif 000004
【図３】
2008187668.tif 000005
【図４】
2008187668.tif 000006
【図５】
2008187668.tif 000007
【図６】
2008187668.tif 000008
【図７】
2008187668.tif 000009
【図８】
2008187668.tif 000010
【図９】
2008187668.tif 000011
【図１０】
2008187668.tif 000012
【図１１】
2008187668.tif 000013